(57)【要約】【課題】スーパーコンティニュアム光を安定に生成し光断層計測の分解能及び感度を向上させる。【解決手段】励起光源１４と、励起光源からの連続光を入力するループ状に構成された希土類元素の添加された光ファイバー１１とを有し、光ファイバーには、カーボンナノ構造体を分散させたフィルム１２が光路に挿入され、連続光を一方向に巡回させて、カーボンナノ構造体による可飽和特性によりソリトンパルスを、１００ＭＨｚ以上の周波数で発生させて、出力するファイバーレーザ１０を有する。ファイバーレーザの出力するソリトンパルスを入力し、そのソリトンパルスを増幅するファイバー増幅器２０と、ファイバー増幅器の出力するソリトンパルスの中心波長を長波長側にシフトさせる波長シフトファイバー３０と、波長シフトファイバーの出力するソリトンパルスを入力して、非線形光学効果により、スーパーコンティニュアム光に変換する高非線形光ファイバー５０とを有する。【選択図】図１
2014063042.tif 000002
【特許請求の範囲】
【請求項１】
スーパーコンティニュアム光を生成する光源であって、
励起光源と、前記励起光源からの連続光を入力するループ状に構成された希土類元素の添加された光ファイバーとを有し、前記光ファイバーには、カーボンナノ構造体を分散させたフィルムが光路に挿入され、前記連続光を一方向に巡回させて、前記カーボンナノ構造体による可飽和特性によりソリトンパルスを、１００ＭＨｚ以上の周波数で発生させて、出力するファイバーレーザと、
前記ファイバーレーザの出力する前記ソリトンパルスを入力し、そのソリトンパルスを増幅するファイバー増幅器と、
前記ファイバー増幅器の出力するソリトンパルスの中心波長を長波長側にシフトさせる波長シフトファイバーと、
前記波長シフトファイバーの出力するソリトンパルスを入力して、非線形光学効果により、スーパーコンティニュアム光に変換する高非線形光ファイバーと
から成るスーパーコンティニュアム光源。
【請求項２】
前記ファイバーレーザの出力する前記ソリトンパルスの繰返周波数を、１００ＭＨｚ以上、３００ＭＨｚ以下とするように、前記ファイバーレーザの前記光ファイバーの長さが調整されていることを特徴とする請求項１に記載のスーパーコンティニュアム光源。
【請求項３】
前記ファイバーレーザの出力端と、前記ファイバー増幅器の入力端との間には、前記ファイバーレーザの出力するソリトンパルスのパルス幅を幅を広げるパルス拡幅ファイバーを有することを特徴とする請求項１又は請求項２に記載のスーパーコンティニュアム光源。
【請求項４】
前記ファイバーレーザの出力する前記ソリトンパルスの中心波長は１５４０ｎｍ以上、１５８０ｎｍ以下の範囲に存在し、前記波長シフトファイバーの出力するソリトンパルスの中心波長は、１６００ｎｍ以上、１７５０ｎｍ以下の範囲に存在することを特徴とする請求項１乃至請求項３の何れか１項に記載のスーパーコンティニュアム光源。
【請求項５】
請求項１乃至請求項４の何れか１項に記載のスーパーコンティニュアム光源を、光断層計測のための光源として用いたことを特徴とする光断層計測装置。
【発明の詳細な説明】
【技術分野】
【０００１】
本発明は、中心波長が１７００ｎｍ帯に位置し、数百ｎｍの範囲に渡って連続したスペクトルを有したパルス光であるスーパーコンティニュアム光源に関する。
【背景技術】
【０００２】
超短パルス光を高非線形光ファイバーに導入することによりスーパーコンティニュアム光（Ｓｕｐｅｒｃｏｎｔｉｎｕｕｍ）が発生することは良く知られている。この波長帯域は数百ｎｍに及ぶ。このような広帯域光は、光断層計測や分光計測などの先端光計測の分野において、非常に有用である。特に、１７００ｎｍ波長帯域におけるスーパーコンティニュアム光は、生体の内部を非破壊で高い分解能でより深く断層撮影することに適している。特に、歯や骨、甲状腺組織などの人体の皮膚、皮下組織における断層撮影に適している。
【先行技術文献】
【特許文献】
【０００３】
【特許文献１】特開２００５−３３１８１８号公報
【特許文献２】特開２００３−１４９６９５号公報
【特許文献３】特開平１０−９０７３７号公報
【発明の概要】
【発明が解決しようとする課題】
【０００４】
しかしながら、従来のスーパーコンティニュアム光源を用いた光断層計測では、必ずしも十分な分解能且つ高感度の画像が得られていない。そこで、本発明は、光断層計測装置の光源に用いた場合に、十分な分解能と感度とが得られるスーパーコンティニュアム光源を実現することを目的とする。
【課題を解決するための手段】
【０００５】
本発明は、スーパーコンティニュアム光を生成する光源であって、励起光源と、励起光源からの連続光を入力するループ状に構成された希土類元素の添加された光ファイバーとを有し、光ファイバーには、カーボンナノ構造体を分散させたフィルムが光路に挿入され、連続光を一方向に巡回させて、カーボンナノ構造体による可飽和特性によりソリトンパルスを、１００ＭＨｚ以上の周波数で発生させて、出力するファイバーレーザと、ファイバーレーザの出力するソリトンパルスを入力し、そのソリトンパルスを増幅するファイバー増幅器と、ファイバー増幅器の出力するソリトンパルスの中心波長を長波長側にシフトさせる波長シフトファイバーと、波長シフトファイバーの出力するソリトンパルスを入力して、非線形光学効果により、スーパーコンティニュアム光に変換する高非線形光ファイバーとから成るスーパーコンティニュアム光源である。
【０００６】
ここで、ファイバーレーザの出力するソリトンパルスの繰返周波数を、１００ＭＨｚ以上、３００ＭＨｚ以下とするように、ファイバーレーザの光ファイバーの長さが調整されることが望ましい。この場合に、光ファイバーの長さは、屈折率にもよるが、４．５ｍ以下、１．５ｍ以上の範囲となる。光ファイバーには、希土類元素、特に、エルビウム（Ｅｒ）が高濃度で添加されている光ファイバーを用い、偏波保持光ファイバーとすることが望ましい。また、ファイバーレーザとファイバー増幅器との間には、ファイバーレーザの出力するソリトンパルスのパルス幅を広くするパルス拡幅ファイバー（シングルモードファイバー）を設けることが望ましい。これにより、ファイバー増幅器での増幅過程においてパルス波形が劣化することが防止できる。また、高非線形光ファイバーは、高非線形光ファイバーに入力するソリトンパルスの中心波長を基準に±２００ｎｍの範囲内の波長において、２次の分散値が０以上、１２ｐｓ2 /km 以下であることが望ましい。
【０００７】
また、ファイバー増幅器は、希土類元素、特に、エルビウム（Ｅｒ）のドープされた光ファイバーと、希土類元素の励起光を生成する発光装置とで構成されることが望ましい。この場合、この光ファイバーは、偏波保持光ファイバーとしても良い。また、ファイバーレーザの出力するソリトンパルスの中心波長は１５４０ｎｍ以上、１５８０ｎｍ以下の範囲に存在し、波長シフトファイバーの出力するソリトンパルスの中心波長は、１６００ｎｍ以上、１７５０ｎｍ以下の範囲に存在することが望ましい。出力されるスーパーコンティニュアム光をこの波長範囲とすることで、本スーパーコンティニュアム光源は、生体の光断層計測の光源に最適となる。
【発明の効果】
【０００８】
ファイバーレーザにより出力されたソリトンパルスは、ファイバー増幅器により増幅されて、波形整形される。このソリトンパルスの中心波長は、１７００ｎｍ帯域に、波長シフトされ、高非線形光ファイバーに導入される。これにより、中心波長を１７００ｎｍとする広波長帯域に平坦に広がるスペクトルを有するスーパーコンティニュアム光を得ることができる。また、本発明の光源によるスーパーコンティニュアム光はコヒーレンス度が高い。更に本発明の光源は、スーパーコンティニュアム光を安定に生成することができ、各種の計測用の光源、特に、光断層計測装置の光源として非常に有用である。
【図面の簡単な説明】
【０００９】
【図１】発明の具体的な実施例１に係るスーパーコンティニュアム光源の構成図。
【図２】同実施例１のスーパーコンティニュアム光源のファイバーレーザの出力するソリトンパルスの波形及びスペクトルを示した特性図。
【図３．Ａ】同実施例１のスーパーコンティニュアム光源のファイバーレーザの出力するソリトンパルスのパルス列を示した波形図。
【図３．Ｂ】同実施例１のスーパーコンティニュアム光源のファイバーレーザの出力するソリトンパルスのパルス列のスペクトルを示した特性図。
【図４】同実施例１のスーパーコンティニュアム光源の出力するスーパーコンティニュアム光のスペクトルを示した特性図。
【図５】本発明の実施例２に係る光断層計測装置の検出器の出力を直接見た干渉波形図。
【図６】本発明の実施例２に係る光断層計測装置の検出器の出力をコンピュータにより処理した後に、対数軸（ｄＢ）で表示した干渉波形図。
【図７．Ａ】実施例２の光断層計測装置で得られた測定物の深さ方向の光断層画像を示した測定図。
【図７．Ｂ】従来の光断層計測装置で得られた測定物の深さ方向の光断層画像を示した測定図。
【図８．Ａ】実施例２の光断層計測装置で得られた測定物のある深さにおける断面の光断層画像を示した測定図。
【図８．Ｂ】従来の光断層計測装置で得られた測定物のある深さにおける断面の光断層画像を示した測定図。
【図９】実施例２の光断層計測装置の構成図。
【発明を実施するための形態】
【００１０】
コヒーレントなパルス光を発生させるファイバーレーザは、例えば、リング型のエルビウムドープ光ファイバーレーザを用いることが可能である。その他、数ピコ秒乃至それ以下のパルス幅のパルス光を発生させ得る任意のファイバーレーザ等を用いることが可能である。発生させるレーザ波長は、１．５５μｍが、一般的に用いられるが、この波長に限定するものではない。生成されるパルス光のパルス幅は１ｐｓ以下が好ましく、５００ｆｓ以下が更に好ましい。本実施例では、ファイバーレーザから出力されるソリトンパルスのパルス幅は９３４ｆｓである。
【００１１】
ファイバー増幅器は、希土類元素をドープした光ファイバーを用いる。この際、少なくとも当該希土類元素をドープした光ファイバーは、偏波保持ファイバーでなくとも良いが、偏波保持ファイバーとすることで、安定した出力が得られる。また、その前段又は後段に光ファイバーを接続する場合も偏波保持ファイバーとすることが望ましい。ファイバー増幅器の前段には、パルス幅をやや広げるために、パルス拡幅ファイバー（シングルモードファイバー）を用いることが望ましい。希土類元素をドープした光ファイバーに偏波保持ファイバーを用いた場合には、当該希土類元素の励起光を導入するためのカプラとしては、例えば偏波保持型の波長分割多重カプラ（ＷＤＭ）を用いると良い。これらは既に多数のメーカーから提供されており、適切な製品が入手可能である。
【００１２】
希土類元素をドープした光ファイバーにより、ソリトンパルスの光強度が増幅される。このファイバー増幅器の中心部である希土類元素をドープした光ファイバーの入力部と出力部には、波長分割多重カプラ（ＷＤＭ）の他、任意の光学素子を取り付けて良い。例えば、コヒーレントなソリトンパルスの入力部には、シングルモードファイバーや、半波長板、偏光ビームスプリッタなどを配置すると良い。また、ファイバー増幅器の出力部には、増幅用の希土類元素の励起光が後段に出射されないように、波長選択阻止性の光学フィルタを配置すると良い。ファイバー増幅器において、増幅のために光ファイバーに添加する希土類元素は、ファイバーレーザの生成するソリトンパルスの波長により選択される。ファイバーレーザが例えばエルビウムドープファイバーを用いたレーザであれば、ファイバー増幅器の増幅にも、エルビウムを用いると良い。この際、励起光は例えば波長１４８０ｎｍとし、当該波長を生成するレーザを用いる。その他、必要箇所に光アイソレータその他の光学素子を配置させると良い。
【００１３】
このファイバー増幅器による増幅において、パルス幅は多少広くなるために、ファイバー増幅器の後段に、補償ファイバーを用いても良い。補償ファイバーには、ＬＭＡ−ＰＣＦ(large mode area photonic crystal fiber 、大口径フォトニック結晶ファイバー) を用いると良い。このファイバーは、負分散のファイバーで、パルス幅を小さくするようにして、ファイバー増幅器でのパルス幅の拡大を補償するものである。
【００１４】
スーパーコンティニュアム光に変換する高非線形光ファイバーに入力されるソリトンパルスは、パルス幅（時間波形をｓｅｃｈ2（ｔ／Ｔ0）とした場合のＴ0）は１０００ｆｓ、５００ｆｓ以下が好ましく、２００ｆｓ以下が更に好ましい。
【００１５】
高非線形光ファイバーは、スーパーコンティニュアム光を生成する光ファイバーである。この高非線形光ファイバーには、入力するパルス光の中心波長を基準に±２００ｎｍの範囲内の波長において、２次の分散値が０以上、１２ｐｓ2 /km 以下である正常分散高非線形ファイバー(normal dispersion highly non-linear fiber) を用いると良い。このような高非線形ファイバーは特許文献１、３に記載されている。特許文献１に定義が記載されている非線形係数は、１０Ｗ-1ｋｍ-1以上が好ましく、２０Ｗ-1ｋｍ-1以上がより好ましい。また、このファイバーへの光の入射は、レンズで絞って行うと良い。さらに、使用性を向上させるために、このスーパーコンティニュアム光を生成するファイバーに、シングルモードファイバーを接続すると良い。
以下、本発明を具体的な一実施例に基づいて説明する。本発明は、下記の実施例に限定されるものではない。
【実施例１】
【００１６】
〔本発明に係る光源の構成〕
図１は本発明の具体的な一実施例に係るスーパーコンティニュアム光源１００の構成を示すブロック図である。図１に示すスーパーコンティニュアム光源１００は、主として、ファイバーレーザ１０、ファイバー増幅器２０、波長シフトファイバー３０、スーパーコンティニュアム光を生成する高非線形光ファイバー５０、シングルモードファイバー５１とから成る。
【００１７】
スーパーコンティニュアム光源１００のファイバーレーザ１０は、エルビウムドープ光ファイバー（ＥＤＦ）１１を用いたリング型レーザ発振器である。エルビウムドープ光ファイバー（ＥＤＦ）１１の発振するレーザ光の中心波長は、１５６０ｎｍである。光ファイバー１１の長さは、３．５ｍである。光ファイバー１１の光路には、カーボンナノ構造体が塗布された樹脂フィルム１２が挿入されている。カーボンナノ構造体は、グラフェンが筒状になったカーボンナノチューブ、グラフェンが壁状に単層、多層に形成されたカーボンナノウォール、フラーレン、グラフェンなどである。本実施例では、カーボンナノチューブ粉末をポリイミドフィルムに塗布したものを用いた。励起光源１４には、波長９８０ｎｍのレーザダイオードを用いた。励起光源１４の出力する連続光は、波長分割多重カプラ（ＷＤＭ）１５を介して、光ファイバー１１に入力される。連続光は、アイソレータ１３により、光ファイバー１１の中を一方向にのみ循環する。
【００１８】
カーボンナノチューブは、１５６０ｎｍ帯の光を吸収し、光強度が大きくなると透明となる可飽和吸収特性を有している。発振するレーザ光の振幅は雑音成分により時間的に高周波数で変動しているために、瞬時的に透明となる閾値を越える瞬間の光だけがカーボンナノチューブで吸収されずに、通過することになる。このパルス光が光ファイバー１１を巡回する連続光に重畳されて、誘導放出が促進されてそのパルス光の強度が大きくなり、さらに、カーボンナノチューブを透過し易くなる。このようにしてパルス光が正帰還により成長し、光ファイバー１１を巡回する間に、安定したソリトンパルスとなる。
【００１９】
このソリトンパルスは、波長分割多重カプラ（ＷＤＭ）１６により分離されて、パルス拡幅ファイバー２２に入力される。パルス拡幅ファイバー２２は、ソリトンパルスのパルス幅をやや拡大して、波形を生成するためのシングルモードファイバーである。パルス拡幅ファイバー２２から出力されるソリトンパルスは、偏波制御素子２７を通過して、Ｓ波、又は、Ｐ波の直線偏光となる。
【００２０】
パルス拡幅ファイバー２２の出力端はアイソレータ２８と波長分割多重カプラ（ＷＤＭ）２３とを介して、長さ２ｍのエルビウムドープ光ファイバ（ＥＤＦ）２１に接続されている。ファイバー増幅器２０は、波長分割多重カプラ（ＷＤＭ）２３、２４、光ファイバ（ＥＤＦ）２１、発振波長１５６０ｎｍのエルビウムを励起させるための波長１４８０ｎｍのレーザ光を発振するレーザダイオード（ＬＤ）２５、２６とから成る。レーザダイオード２５、２６からの励起光は、それぞれ、波長分割多重カプラ（ＷＤＭ）２３、２４を介して、光ファイバ（ＥＤＦ）２１に、相互に対向する方向から入射する。したがって、レーザダイオード（ＬＤ）２５からの励起光は、光ファイバ（ＥＤＦ）２１で生成されるソリトンパルスの進行方向と同一方向に伝搬し、レーザダイオード（ＬＤ）２６からの励起光は、そのパルス光の進行方向とは反対方向に伝搬する。
【００２１】
光ファイバ（ＥＤＦ）２１の出力端は、波長分割多重カプラ（ＷＤＭ）２４とアイソレータ３２とを介して、波長シフトファイバー３０に接続されている。波長シフトファイバー３０はシングルモードファイバーであり、ソリトンパルスの波長帯で異常分散の特性を持つ。ファイバー中で誘起される非線形効果によって、強度が高いほどより長波長側にソリトンパルスの中心波長がシフトする。また、ファイバー長が長い方が波長がより長波長側にシフトするが、パルス幅が広がるため、適切な長さに調節されている。アイソレータ３２の両端は光ファイバーを直結し、波長シフトファイバー３０とアイソレータ３２は光ファイバーで直結する構造となっている。また、励起光源１４から波長シフトファイバー３０の出力端までは、全光伝送路が光ファイバーで直結されており、レンズなどの空間伝搬部を排除した。これにより、出力されるスーパーコンティニュアム光を安定させることができた。
【００２２】
波長シフトファイバー３０の出力端は、レンズ３３、半波長板（λ／２）３４、λ／４板３５、ローパスフィルタ（ＬＰＦ）３６、レンズ３７を介して、ソリトンパルスをスーパーコンティニュアム光に変換するための高非線形光ファバー５０に接続されている。
【００２３】
高非線形光ファイバー５０には、入力するソリトンパルスの中心波長を基準に±２００ｎｍの範囲内の波長において、分散が零である正常分散高非線形ファイバー（ND-HNLF)を用いた。正常分散高非線形ファイバー（ND-HNLF)としては、非線形性γが２３Ｗ-1ｋｍ-1、長さ５ｍのファイバを用いた。この高非線形光ファイバー５０の樹脂で封止された出力端は、光源の使用性を向上させるために、通常のシングルモードファイバー５１に直結されている。シングルモードファイバー５１の出力端からスーパーコンティニュアム光が出力される。
【００２４】
尚、光ファイバー１１、パルス拡幅ファイバー２２、エルビウムドープ光ファイバ（ＥＤＦ）２１、波長シフトファイバー３０、高非線形光ファイバー５０、シングルモードファイバー５１、波長分割多重カプラ（ＷＤＭ）１５、１６、２３、２４などの全光伝送路に、偏波保持型のファイバーや素子を用いても良い。偏波保持型を用いることで、スーパーコンティニュアム光の出力を安定させることができる。
【００２５】
〔各ブロックにおける出力の特徴〕
図１のスーパーコンティニュアム光源１００によりスーパーコンティニュアム光を生成した。ファイバーレーザ１０からは、中心波長１５６０ｎｍ、スペクトル半値幅４．３５ｎｍ、パルス幅９３４ｆｓ、平均強度８ｍＷ、パルス周波数１０９ＭＨｚのパルス光が生成された。一つのソリトンパルスの自己相関波形と、スペクトルを図２に示す。また、繰返出力されるソリトンパルス列の時間波形を図３．Ａに、そのスペクトルを図３．Ｂに示す。
【００２６】
パルス拡幅ファイバー２２では、安定したスーパーコンティニュアム光を得るために、ソリトンパルスのパルス幅がやや拡大される。ファイバー増幅器２０では、ファイバーレーザ１０により生成されたパルス光が増幅され、波長シフトファイバー３０では、ファイバー増幅器２０の出力するソリトンパルスの中心波長は、１５６０ｎｍから１７００ｎｍに１４０ｎｍだけ長波長側にシフトされる。
【００２７】
次に、スーパーコンティニュアム光を生成する高非線形光ファイバー５０の出力のスペクトルを図４に示す。中心波長１７００ｎｍ、半値幅２４２ｎｍ、帯域１４００ｎｍ〜１９５０ｎｍのスーパーコンティニュアム光が得られているのが分かる。パルス半値幅は、５ｐｓである。
【実施例２】
【００２８】
次に、本実施例１のスーパーコンティニュアム光源１００を用いた光断層計測装置について説明する。
図９は、光断層計測装置２００の構成を示した図である。光断層計測装置２００は、上記実施例１のスーパーコンティニュアム光源１００と、光カプラ６１と、ミラー６２と、駆動装置６３と、受光装置６４と、干渉波形解析手段６５と、によって構成されている。
【００２９】
スーパーコンティニュアム光源１００から出力されるスーパーコンティニュアム光（以下、「ＳＣ光」という）のコヒーレンス長は、０．５〜１０μｍが望ましい。この範囲であると、干渉ピークの幅が広がってしまったり、干渉ピーク同士が重なってしまうなどの問題を防止することができ、また干渉ピークも良好に測定することができるため、測定精度を向上させることができる。より望ましいＳＣ光のコヒーレンス長は、０．５〜２μｍである。
【００３０】
光ファイバーカプラ６１は、２×２ポートの構造であり、入力ポートの一方にはスーパーコンティニュアム光源１００からのＳＣ光が入力され、測定光と参照光に分波されて２つの出力ポートから放射される。２つの出力ポートには、それぞれコリメータ６７、６８が接続されている。また、他方の入力ポートには受光装置６４が接続されている。測定物７０には、歯や、甲状腺などの生体組織を用いた。測定光は測定物７０に入射して、測定物７０の深さ方向の各位置から反射される。参照光はミラー６２によって反射される。反射された測定光、参照光は元の出力ポートにそれぞれ入射され、測定光と参照光とが合波されて受光装置６４に入力される。なお、光ファイバーカプラ６１の２つの入力ポートに、それぞれ、同一特性の２分配の第２の光ファイバーカプラを設けて、受光装置６１を２つ設けても良い。この場合には、各第２の光ファイバーカプラのそれぞれの一方の入力ポート( 干渉波形の出力されるポート) にそれぞれの受光装置６１が接続され、一方の第２の光ファイバーカプラの他方の入力ポートからスーパーコンティニュアム光源１００からのＳＣ光が入力される。この場合には、２つの受光装置６１に入力される２の干渉光（測定光と参照光との合波光）を処理することで、受光感度を向上させることができる。
【００３１】
ミラー６２は、参照光を反射させる面が参照光の光軸に対して垂直となるように駆動装置６３に取り付けられており、参照光の光軸方向へミラー６２を所定幅で直進移動させることが可能となっている。これにより参照光の光路長を変更することができる。ミラー６２として測定物７０の厚さよりも十分に薄いものか、反射面が全波長帯域で高反射率のものを用いることで、測定物７０による波長分散を補償し、干渉ピークが広がってピーク位置の取得精度が劣化するのを防止している。駆動装置６３は、たとえば、ボイスコイルモータ型ディレイライン、ピエゾチューブ型ディレイライン、直動ステージ型ディレイライン、積層ピエゾ型ディレイライン、などである。参照光は、ミラー６２により反射されて光ファイバカプラ６１に入力され、受光装置６４に入力される。
【００３２】
受光装置６４は、フォトダイオードであり、測定光と参照光との干渉波形を測定する。干渉波形は、駆動装置６３によってミラー６２を所定幅で光軸方向に直進移動させて走査したときの光強度の変化であり、多数のパルス光の光強度の足し合わせである。つまり、干渉波形は、参照光の光強度の時間関数と、測定光の光強度の時間関数との相互相関関数となる。受光装置６４として、フォトダイオード以外にもフォトトランジスタ、光電子増倍管などを用いることができる。
【００３３】
干渉波形解析手段６５により得られた干渉波形を図５、図６に示す。この波形の振幅は、測定光と参照光との光路長が等しくなる測定物７０の深さ方向の位置での反射光強度を示している。したがって、ミラー６２を走査すれば、測定物７０の深さｚと、反射光強度Ｉとの関係を示したグレー画像Ｉ（ｚ）を得ることができる。また、測定物７０の入射面におけるｘ、ｙ方向に、測定光を走査すれば、測定物７０のｘｙｚ系での３次元の画像Ｉ（ｘ，ｙ，ｚ）を得ることができる。
【００３４】
測定物７０を豚の甲状腺とした場合の測定物７０のｘｚ断面（縦断面）における断層画像を図７．Ａに示す。スーパーコンティニュアム光源１００から出力されるＳＣ光（パルス光）の繰返周波数は１０９ＭＨｚである。図７．ＡはＳＣ光（パルス光）の干渉波形の累積によるものである。分解能は４．３μｍ、感度は１０５ｄＢであった。比較例として、ＳＣ光の繰返周波数を５０ＭＨｚとした場合の断層画像を図７．Ｂに示す。明らかに、本実施例の場合は、測定物７０の深くまで画像が鮮明であり、分解能及び画像感度が向上していることが分かる。１０ｄＢの向上が観測された。
【００３５】
また、測定物７０の深さｚをある位置（５１４μｍ）に固定した場合のｘｙ断面の断層画像を図８．Ａに示す。比較例として、ＳＣ光（パルス光）の繰返周波数を５０ＭＨｚとした場合のｘｙ断層画像を図８．Ｂに示す。本実施例では、明らかに、分解能及び画像感度が向上していることが分かる。
【００３６】
以上は、光断層計測装置として、時間領域での光断層測定（ＴＤ−ＯＣＴ）を行う装置を用いた例である。これに対して、次のように、光断層計測装置として、波長領域での光断層測定（ＯＦＤＲ−ＯＣＴ）を行う装置を用いても良い。ミラー６２は、最も強度の大きい干渉波形が得られるような位置に位置決めする。受光装置６４を、回折格子とＣＣＤ装置を用いて、干渉波形の波長特性を測定する装置とする。干渉波形の波長特性を逆フーリエ変換すれば、測定物７０の深さｚに関する干渉画像を得ることができる。
本発明は、スーパーコンティニュアム光源を、繰返周波数１００ＭＨｚ以上、３００ＭＨｚ以下のＳＣ光（パルス光）とすることで、光断層計測装置に用いた場合に分解能及び感度を向上させている。図１の構成により、ＳＣ光（パルス光）の繰返周波数は、３００ＭＨｚまで拡大することが可能である。
【産業上の利用可能性】
【００３７】
本発明は、広帯域のスペクトルを用いた分光分析などの光分析、光断層計測の光源として用いることができる。
【符号の説明】
【００３８】
１００：スーパーコンティニュアム光源
１０：ファイバーレーザ
１１：エルビウムドープ光ファイバー
１２：フィルム
２０：ファイバー増幅器
２１：エルビウムドープ光ファイバー
２２：パルス拡幅ファイバー
３０：波長シフトファイバー
１５，１６，２３，２４：波長分割多重カプラ（ＷＤＭ）
１３，２８，３２：アイソレータ
５０：高非線形光ファイバー
【図１】
2014063042.tif 000003
【図２】
2014063042.tif 000004
【図３．Ａ】
2014063042.tif 000005
【図３．Ｂ】
2014063042.tif 000006
【図４】
2014063042.tif 000007
【図５】
2014063042.tif 000008
【図６】
2014063042.tif 000009
【図９】
2014063042.tif 000010
【図７．Ａ】
2014063042.tif 000011
【図７．Ｂ】
2014063042.tif 000012
【図８．Ａ】
2014063042.tif 000013
【図８．Ｂ】
2014063042.tif 000014